(57)【特許請求の範囲】
【請求項１】
低温熱媒体を供給し室内を冷房する熱交換器と、前記熱交換器の表面で結露した結露水を受けて集めるドレン受けと、前記ドレン受け内の結露水を室外へ排出する排水ポンプとを有する室内ユニットと、前記室内ユニットに低温熱媒体を供給する可撓性接続配管を備えた空気調和システムにおいて、圧縮機、凝縮器、減圧手段、蒸発器を有するヒートポンプ回路と、シスターン、ポンプ、ボイラを有し前記室内ユニットへ供給する熱媒体である水を前記蒸発器でヒートポンプ回路の冷媒と熱交換して冷却されるように流す水回路とを備え、前記蒸発器は、スリット状の穴を有する複数の冷媒流路プレートと、スリット状の穴を有する複数の給水流路プレートと、この複数の冷媒流路プレートと給水流路プレートの間に設けられていて冷媒と給水の隔壁をなす複数の隔壁プレートとから冷媒と給水の流路を形成した積層式熱交換器であり、前記室内ユニット内には結露水の吸引装置であるエジェクタが設けられ、前記エジェクタの吐出部は前記可撓性接続配管に接続され、さらに水コンセントを経て室外機繋がっており、前記室外機のシスターン上部にはオーバーフロー排水口が設けられ、前記シスターン内の水位が既定位置を超えると接続された排出管から結露水が排水される空気調和システム。
【発明の詳細な説明】
【０００１】
【発明の属する技術分野】
本発明は、温風を吹き出して暖房を行う温風暖房装置に冷房機能を付加し、一般家屋や事務所等の暖房および冷房を行う空気調和システムに関するものである。
【０００２】
【従来の技術】
従来、一般家屋や事務所には種々の暖房装置が使用されているが、中でも熱源に温水を用いて温風を吹き出すタイプの暖房装置は、大能力が得られるとともに高温の温風を吹き出すことができるので、寒冷地や準寒冷地でも十分な能力と暖房感が得られ、室内での設置スペースも比較的小さく、しかも安全性が高くクリーンなことから、その利用が一般地でも広がってきている。
【０００３】
この種の温風暖房機は図６に示すようなものが一般的に知られている。以下、その構成について図６を参照しながら説明する。同図に示すように、シスターン１、ボイラ２、ポンプ３から構成された室外機４は、上方に配置した熱交換器５や下方に配置した送風機６から構成された室内機７と、接続配管８で接続されている。また、前記室内機７の上部には吸い込み口９が、下部には吹き出し口１０が設けらている。１１は室温検出手段を示す。
【０００４】
この温風暖房機の動作を説明すると、室外機４のボイラ２が動作してポンプ３によって室内機７に送られてきた温水の温度が所定の温度以上になれば、送風機６が運転を開始し、室内の空気は床面に設置された室内機７の上部に設けた吸い込み口９から吸い込まれ、熱交換器５で温水と熱交換して加熱されて温風となって下部に設けられた吹き出し口１０から吹き出される。そして、室温検出手段１１が検出した吸い込み温度が設定温度以上になれば送風機６を停止し、低くなれば送風機６を再運転することによって室内温度を制御している。さらに、能力制御や低騒音化や気流感の防止のために、室温検出手段１１で検出した吸い込み温度と設定温度との差に応じて、強風、弱風、微風というように、吸い込み温度が設定温度に近づくほど風量を小さくしている。
【０００５】
また、温水を使わず熱媒体としてフロン（例えばＲ−２２）等を用いたヒートポンプ式の暖冷房装置が一般に多く利用されている。この種の空気調和装置においては冷房時の温度分布を良くし足元ばかり冷えることがないように、室内機を壁面や天井に設置し、冷風を壁面の高所や天井近傍から吹き出すタイプのものが主流である。この壁面設置空気調和装置の上下吹き出しを切り換えるものとしては、特公昭６１−３８７７７号公報に記載されているようなものがある。この空気調和装置は図７ａ、ｂに示すように、室内機７の前面には吸い込み口９が形成それ、さらに前面下部と上部には下吹き出し口１０Ａおよび上吹き出し口１０Ｂがそれぞれ形成されている。そして、前記吸い込み口９に対向する位置に熱交換器５が設けられ、さらに、この熱交換器５に対応して送風機６が設けられている。また、下吹き出し口１０Ａ、上吹き出し口１０Ｂにそれぞれ対応して設けられた下部ダンパ１２Ａ、上部ダンパ１２Ｂは吹き出し口切り換え手段としてのダンパモータ１３で切り換えを行う。
【０００６】
この空気調和装置の動作を説明すると、暖房時に室内温度が設定温度以下の場合には、ダンパモータ１３が動作して、図７ａに示すように、下部ダンパ１２Ａで下吹き出し口１０Ａを開き、上部ダンパ１２Ｂで上吹き出し口１０Ｂを閉じ、下吹き出し口１０Ａから温風を吹き出す。また、室内温度が設定温度以上となった場合には、図７ｂに示すように、ダンパモータ１３が動作して下部ダンパ１２Ａで下吹き出し口１０Ａを閉じ、上部ダンパ１２Ｂで上吹き出し口１０Ｂを開き、上吹き出し口１０Ｂから送風空気を吹き出し暖気を対流させる。冷房運転時には、室内温度が比較的高い場合には下吹き出し口１０Ａから冷気を吹き出して急冷し、室内温度が設定値を基準とする安定状態になった場合には室内送風機６の微風運転に伴って空気上吹き出し状態を設定して、足元ばかり冷えることがないように上吹き出し口１０Ｂから冷気を吹き出す。
【０００７】
【発明が解決しようとする課題】
しかしながら、上記従来の温風暖房装置は暖房専用であるため、冷房を行いたい場合には別途冷房装置を必要とし、ルームエアコン等による冷房と組み合わせた併設システムでは、施工が非常に複雑になり施工コスト等のコスト面で非常に不利になる。また、熱交換器５に冷水を循環させて冷房を行えるようにした場合は、熱交換器５に結露水が付着・生成されるので、この構成のままでは結露水の処理ができず冷房運転ができない。結露水を処理するために室内機７を壁面に固定し、排水管を設置して結露水を屋外に落差を利用して排水する場合は、屋外排水場所との高低差の関係で設置場所の高さが制限されるうえ、床面においた室内機７の吹き出し口１０から吹き出される冷気では足元ばかりが冷え、壁面の高位置に設置すると暖房時高温の温風は吹き出し後すぐに上昇し足元が寒くなる。したがって、このような構成では設置自由度がなくなるとともに暖房感や冷房感が損なわれることになるという課題があった。
【０００８】
一方、図７に示すフロンＲ−２２を用いた他の従来例の空気調和装置では、冷媒回路の作動圧力に制限があるため、暖房時温風温度を７０℃以上にすることが困難で、十分な暖房感が得にくいばかりでなく、室内温度の吸い込み温度が設定温度に近づくほど風量を小さくしていたため、壁面の比較的高位置からの温風はすぐに上昇し、部屋の温度分布が悪く足元が寒いものであった。
【０００９】
図８は室内機７が設置された部屋の空間の斜視図であり、図９は図８のＡ面における暖房運転時の弱風や微風時の温度分布を示したものである。図１０は図８のＢ、Ｃ面各面それぞれの、各高さにおいて水平方向の温度の平均を求めて、その分布を示したものである。なお、一点鎖線は部屋全体の平均温度である。両図からわかるように弱風や微風のように風量が小さくなると、温風の温度は高くなり、すぐに上昇し、さらに、吸い込み口９が吹き出し口１０よりも上部にあるため上昇した温風は床面付近に戻ることがないため、温風暖房機の付近や天井近くは温かいがそれ以外の場所の温度が低くなっている。そのため、快適な居住空間が狭く、部屋全体を有効に使えないという課題を有していた。
【００１０】
この課題を解決するために、仮に風量を大きくするとさらに吹き出し温度が下がり、気流感や冷風感があり騒音も大きくなるので快適性が損なわれる。このように従来例の空気調和装置のように室内機設置位置を壁面高所に固定すると、暖房運転時と冷房運転時の快適性を両立させることは困難であるという課題があった。
【００１１】
また、フロンＲ−２２等を用いた従来例の空気調和装置では、室内機だけを複数に増設すると、運転していない室内機内に熱媒体が滞留する所謂寝込みという現象が生じるため、ヒートポンプ回路内で循環する熱媒体量が大きく変化してしまい性能の劣化や故障を引き起こしてしまう。そして室内機を増設可能なマルチと呼ばれる空気調和装置は、寝込みを防ぐための弁装置を設け運転状況に応じて制御するなどして、装置が複雑になりコスト面で非常に不利になるなど、簡単に室内機を増設することはできないという課題もあった。
【００１２】
本発明は、高温風床面吹き出しの暖房と夏場の冷房とを両立させ、壁面以外に設置場所を変更しても結露水を確実に処理する室内ユニットを有する空気調和システムを提供することを目的とするものである。
【００１３】
【課題を解決するための手段】
本発明は、上記課題を解決するために、低温熱媒体を供給し室内を冷房する熱交換器と、前記熱交換器の表面で結露した結露水を受けて集めるドレン受けと、前記ドレン受け内の結露水を室外へ排出する排水ポンプとを有する室内ユニットと、前記室内ユニットに低温熱媒体を供給する可撓性配管を備えるように構成したものである。
【００１４】
上記発明によれば、十分な暖房感が得られる高温風床面吹き出しの暖房と夏場の冷房とを一つの室内ユニットで実現できる。また、結露水を処理するために室内ユニットの設置場所を壁面に固定する必要がないので、暖房または冷房それぞれの運転に合わせて設置場所を変更することもでき、設置自由度が拡大し、設置スペースもコンパクトな室内ユニットを有する空気調和システムを提供することができる。
【００１５】
【発明の実施の形態】
本発明は上記課題を解決するために以下の構成よりなる。すなわち第１の構成としては、低温熱媒体を供給し室内を冷房する熱交換器と、前記熱交換器の表面で結露した結露水を受けて集めるドレン受けと、前記ドレン受け内の結露水を室外へ排出する排水ポンプとを有する室内ユニットと、前記室内ユニットに低温熱媒体を供給する可撓性配管を備えたものである。
【００１６】
そして、十分な暖房感が得られる高温風床面吹き出しの暖房と夏場の冷房とを一つの室内ユニットで実現できるとともに、結露水を処理するために室内ユニットの設置場所を壁面に固定する必要がないので、暖房または冷房それぞれの運転に合わせて設置場所を変更することもでき、設置自由度が拡大し、設置スペースもコンパクトにできる。
【００１７】
また第２の構成としては、低温熱媒体として冷水を供給し室内を冷房する熱交換器と、前記熱交換器の表面で結露した結露水を受けて集めるドレン受けと、前記ドレン受け内の結露水を室外へ排出するエジェクタとを備えた室内ユニットを有するものである。そして、簡単構成で比較的安価なコストで結露水を室外に排出可能な構成を実現できる。また、蒸発による冷水の減少を防ぐこともできる。
【００１８】
また第３の構成としては、上吹き出し口と、下吹き出し口と、吹き出しの上下を切り換える切り換え手段とを備えた床置き設置可能な室内ユニットを有するものである。そして、暖房時は高温風を床面に沿って吹き出し、冷房時は冷風を天井へ向け吹き出すことで、設置自由度の大きい室内ユニットにおける快適性の向上を図ることができる。
【００１９】
また第４の構成としては、結露水排出口と熱媒体供給口とを備え家屋壁面に設置された熱媒体コンセントに、断熱性と可撓性を有する配管で接続・着脱可能な室内ユニットを有するものである。そして、使用者の目的に応じて１台の室内ユニットを熱媒体コンセントのある部屋ならどこへでも移動可能となり、昼間は居間、夜は寝室といった使い分けができるので利便性が向上し、いろいろな部屋の空調を安価に実現できる。また、不要時は熱媒体コンセントから取り外して収納しておくことができるので、室内の設置スペースにおいても利便性が向上する。
【００２０】
また第５の構成としては、熱媒体の分岐供給口を備えた室内ユニットを有するものである。そして、室内ユニットの増設が容易にできる。
【００２１】
また第６の構成としては、圧縮機、凝縮器、減圧手段、蒸発器を有するヒートポンプ回路と、シスターン、ポンプ、ボイラを有し室内ユニットへ供給する熱媒体である水を前記蒸発器でヒートポンプ回路の冷媒と熱交換して冷却されるように流す水回路とを備え、前記蒸発器は、スリット状の穴を有する複数の冷媒流路プレートと、スリット状の穴を有する複数の給水流路プレートと、この複数の冷媒流路プレートと給水流路プレートの間に設けられていて冷媒と給水の隔壁をなす複数の隔壁プレートとから冷媒と給水の流路を形成した積層式熱交換器で構成したものである。そして、水回路の圧力損失を低減できるので冷水流量が大きくでき、室内ユニットでの冷房能力増大が容易な空気調和システムを提供できる。さらに、温水供給装置を大型化することなくコンパクトに冷水供給機能を付加できる。
【００２２】
また第７の構成としては、シスターンに設けたオーバーフロー排水口と、熱交換器とドレン受けと結露水を排出するエジェクタとを有する室内ユニットとを備えたものである。そして、蒸発による冷水の減少を防ぐので、循環水の補充作業を省くことができるとともに、結露水の流入が多い場合も既定量を超えた水は自動的に排水されるので、メンテナンスが不要になる。
【００２３】
【実施例】
以下、本発明の実施例について図面に基づいて詳細に説明する。
【００２４】
（実施例１）
図１は本発明の実施例１の上吹き出し状態の室内ユニットを示す空気調和システムの構成図であり、図２は同空気調和システムの下吹き出し状態の室内ユニットの断面構成図である。図１において、シスターン２１、ポンプ２２、並列に接続されたボイラ２３と電磁弁２４を有するバイパス管２５、および蒸発器２６を順次連結して構成される水回路２７と、圧縮機２８、凝縮器２９、減圧手段３０、蒸発器２６を順次連結して構成されるヒートポンプ回路３１とを備え、蒸発器２６で水回路２７を流れる水とヒートポンプ回路３１の冷媒とを熱交換するように構成した室外機３２は、熱媒体コンセントである水コンセント３３を介して断熱性を有する可撓性接続配管３４により、熱交換器３５、送風機３６などから構成される室内ユニット３７と接続され、水コンセント３３により着脱自在になっている。室内ユニット３７の背面の上側には下吹き用吸い込み口３８が、背面の下部には上吹き用吸い込み口３９が設けられている。さらに、室内ユニット３７の前面の下側には下吹き出し口４０が設けられている。また、４１は風回路の切り換え手段であり、この切り換え手段４１は送風機３６のケーシング４２を送風機３６の回転軸４３を中心に回転させ、上吹き出しと下吹き出しの送風回路を切り換えるものである。さらに、送風機３６の上部で、かつ、熱交換器３５よりも前面側に設けられたバイパス風回路４４は上吹き出し時に熱交換器３５を通過しない送風路である。また、室内ユニット３７の上部には熱交換器３５を通過した空気を吹き出す上吹き出し口４５と熱交換器３５を通過しない空気を吹き出すバイパス吹き出し口４６とが設けられている。さらに、風向変更手段４７は上吹き出し口４５とバイパス吹き出し口４６とにそれぞれ設けられた上風向変更羽根４８とバイパス風向変更羽根４９の駆動を行うものである。室内ユニット３７の背面に設けられた遮蔽手段５０は上吹き出し時に下吹き用吸い込み口３８を遮蔽するものであり、この遮蔽手段５０は、例えば同図に示すように、上下に移動する遮蔽板５１とこの遮蔽板５１を駆動する遮蔽板駆動手段５２とからなる。また、室内ユニット３７内には排水ポンプ５３が設けられ、その吸い込み側は熱交換器３５の下部に設けられたドレン受け５４内へ接続され、一方吐出側は可撓性接続配管３４に一体に設けられた排水路５５から室外のドレンホース５６へと接続されている。
【００２５】
また、図３は本発明の実施例１の空気調和システムの室内ユニットの増設状態を示す斜視図であり、図４は同空気調和システムの蒸発器２６の分解図である。図３において、５７は室内ユニット３７内部に設けられた熱媒体である水の分岐部であり、分岐部５７の一方は熱交換器３５へ他方は外装部に設けられた分岐供給口５８へと接続されている。分岐供給口５８は雄雌型の水コンセント３３の雌側と略同形状をしており、他の室内ユニットである床パネル５９の雄側コンセント６０を接続し、水を室内ユニット３７と増設した床パネル５９に並列に供給できるようになっている。
【００２６】
図４において、蒸発器２６として構成された積層式熱交換器６１は、冷媒プレート６２、給水プレート６３、このプレート６２、６３の間に挿入する隔壁プレート６４を順層して形成している。冷媒プレート６２には、スリット状の穴である冷媒スリット６２ａ、給水スリット６２ｂが形成されており、冷媒スリット６２ａは、隔壁プレート６４とトッププレート、あるいは隔壁プレート６４から挟まれることにより冷媒流路を形成する。給水プレート６３には、スリット状の穴である冷媒スリット６３ａ、給水スリット６３ｂが形成されており、給水スリット６３ｂは、隔壁プレート６４から挟まれることにより水流路を形成する。冷媒プレート６２の給水スリット６２ｂ、隔壁プレート６４の冷媒スリット６４ａと給水スリット６４ｂ、給水プレート６３の冷媒スリット６３ａは、冷媒、または水を、順層される各々のプレートに送るために設けた穴である。順層されたプレートの最上面にはトッププレート６５、最低面にはエンドプレート６６を配している。
【００２７】
次に動作、作用について説明する。図１に示すように、床面に設置された室内ユニット３７で暖房運転を行うときは、図２に示すように、下吹き出し状態で暖房を行う。すなわち、切り換え手段４１はケーシング４２を送風機３６の回転軸４３を中心に下向きに回転させ、また、風向変更手段４７は上風向変更羽根４８で上吹き出し口４５を閉じ、バイパス風向変更羽根４９でバイパス吹き出し口４６を閉じ、さらに、遮蔽板駆動手段５２は下吹き用吸い込み口３８を開くために遮蔽板５１を下方に移動させることによって下吹き出し状態を設定する。そして、室外機３２ではシスターン２１からポンプ２２で圧送された水が電磁弁２４の閉成により動作中のボイラ２３を通ることで加熱されて温水となり、蒸発器２６を通過後、水コンセント３３の熱媒体供給口である水供給口６７を経て可撓性接続配管３４を通り、室内ユニット３７に送られる。この温水と、送風機３６によって下吹き用吸い込み口３８から吸い込まれた空気とが、熱交換器３５で熱交換して、吸い込まれた空気は加熱されて温風となって下吹き出し口４０から吹き出される。室外機３２から供給される温水の温度は高温時７５℃程度あり、これにより加熱される温風は７０℃にもなるが、下吹き出し口４０から床面に沿って吹き出すので、十分な暖房感が得られるとともに上から吹き付ける温風の不快感などもなく、高温風で足元から気持ちよく暖房することができる。
【００２８】
次に床面に設置された室内ユニットで冷房運転を行うときには、図１に示すように切り換え手段４１により、送風機３６の回転軸４３を中心にケーシング４２を上向きに回転させ、また、風向変更手段４７は上変更羽根４８を動作させ、上吹き出し口４５を開口し、さらに、遮蔽板駆動手段５２は下吹き用吸い込み口３８を閉じるために遮蔽板５１を上方に移動させることによって上吹き出し状態を設定する。一方室外機では、圧縮機２８の運転によりヒートポンプ回路３１内の冷媒が減圧手段３０を通過して冷却され蒸発器２６内に入る。シスターン２１からポンプ２２で圧送された水は電磁弁２４の開成によりバイパス管２５を通り、蒸発器２６で冷却された冷媒と熱交換するので、ここで冷水が生成される。この冷水は、水コンセント３３の水供給口６７を経て可撓性接続配管３４を通り、室内ユニット３７の熱交換器３５に入る。そして、送風機３６によって上吹き用吸い込み口３９から吸い込まれた空気が熱交換器３５で冷却され上吹き出し口４５から吹き出されることで室内が冷房されることになる。このとき、空気中に含まれた水分が熱交換器３５での冷却により結露し、熱交換器３５の表面に水滴が生成される。この結露水の水滴はやがて成長し重力により熱交換器３５の下方に設けられたドレン受け５４に流れ込む。ドレン受け５４に集められた結露水は、排水ポンプ５３により汲み上げられて排水路５５側へ圧送されるので、可撓性配管３４および排水路５５が室内ユニット３７の設置状況によりどの様に曲げられていても、結露水は排水路５５の接続先である水コンセント３３に設けられた結露水排出口６８まで送り込まれ、これに接続されたドレンホース５６を通って室外へ排出される。このように、室内ユニット３７の設置状況に関わらず冷房時の結露水を排出できるので、床面設置であっても問題なく冷房運転ができる。
【００２９】
また、室内ユニット３７の上吹き運転を行うときは、風向変更手段４７により上変更羽根４８とバイパス風向変更羽根４９とを動作させ、それぞれ上吹き出し口４５とバイパス吹き出し口４６とを開口することができる構成となっている。そして、送風機３６によって上吹き用吸い込み口３９から吸い込まれた空気の一部は熱交換器３５で熱交換され上吹き出し口４５から吹き出される。一方、送風機３６によって上吹き用吸い込み口３９から吸い込まれた上記以外の空気は、熱交換器３５を通過ぜずに、バイパス風回路４４を通って、バイパス吹き出し口４６から吹き出される。この作用により、室内の温度が暖冷房運転の設定温度近傍まで到達し、空調負荷が小さくなったときには、マイルドな空調運転もできる。
【００３０】
以上述べたように、十分な暖房感が得られる高温風床面吹き出しの暖房と夏場の冷房とを一つの室内ユニットで実現できるとともに、結露水を処理するために室内ユニットの設置場所を壁面に固定する必要がないので、暖房または冷房それぞれの運転に合わせて設置場所を変更することもでき、設置自由度が拡大し、設置スペースもコンパクトにできる。そして、運転状態に合わせて上吹き出しと下吹き出しを切り換えることができるので、暖房時は高温風を床面に沿って吹き出し、冷房時は冷風を天井へ向け吹き出すことで、設置自由度の大きい室内ユニットにおける快適性の向上を図ることができる。さらに、使用者の目的に応じて１台の室内ユニットを熱媒体コンセントのある部屋ならどこへでも移動可能となり、昼間は居間、夜は寝室といった使い分けができるので利便性が向上し、いろいろな部屋の空調を安価に実現できる。また、不要時は熱媒体コンセントから取り外して収納しておくことができるので、室内の設置スペースにおいても利便性が向上する。
【００３１】
そして、図３に示すように室内ユニットを増設したい場合、室内ユニット３７に分岐供給口５８を備えているので、容易に接続・着脱することができ利便性が増大するとともに、空調する部屋の形態により温冷風が届きにくい場所が生じる等、１台の室内ユニットでは十分な快適性が得られない場合でも増設した室内ユニットとの相乗効果により快適性を向上することもできる。なお、ここでは増設する室内ユニットとして床パネル５９を用いて説明したが、同じ室内ユニット３７を増設しても、あるいは他の形態の室内ユニットを増設しても同様の効果が得られることは明白である。
【００３２】
また図４に示すように、積層式熱交換器６１の冷媒流路および給水流路は複数段積層された並列の流路で形成されているので、各段の流路で熱交換面積を十分に確保しながら全体として流路断面積が大きくなり、圧力損失は小さくなる。従って、水回路の圧力損失を低減できるので冷水流量が大きくでき、室内ユニットでの冷房能力増大が容易な空気調和システムを提供できる。
【００３３】
さらに、積層式熱交換器６１の冷媒流路の流路高さは、冷媒プレート６２の厚さであり、冷媒流路の幅は、スリット６２ａの幅となる。本実施例では、レイノルズ数が５００以下となるように、冷媒プレート６２と給水プレート６３の厚さを０．１〜１．０ｍｍ、スリット６２ａの幅を２．０〜１５ｍｍの範囲で設計している。
【００３４】
従って、給水流路を流れる給水の状態は層流となる。一般的に層流は熱伝達が低いとされるが、本発明のように流路高さを小さくすることによって、温度境界層が薄膜化すると、熱伝達が促進される。また、温度境界層を薄膜化することによって、給水流路を流れる給水の流路高さ方向の温度分布を均一にすることができる。
【００３５】
また、給水流路を流れる給水の主流の温度と、壁面に沿って流れる給水の温度は、ほぼ同じ温度となるから、給水が局部的に冷却されて熱交換器内で給水が凍結することもなく、高効率で冷水を生成することができる。
【００３６】
従って、冷水を必要とするときに、室外機３２を動作させることによって、瞬間的、かつ連続的に、必要に応じた冷水を生成することができる。また、従来の二重管式熱交換器やプレート式熱交換器よりも内容積が小さいため、充填する冷媒の量を削減できるとともに、装置の小型化が実現され、温水供給装置を大型化することなくコンパクトに冷水供給機能を付加できる。
【００３７】
加えて、冷媒を用いたヒートポンプ回路３１は室外機３２内のみで完結し、室内ユニットにヒートポンプ回路の冷媒を導くことがないので、ヒートポンプ回路３１に可燃性や爆発性のあるプロパン等の炭化水素系冷媒を封入して用いても室内に炭化水素系冷媒が漏れることなく安全性を高くできるものである。
【００３８】
（実施例２）
図５は本発明の実施例２の空気調和システムの構成図である。図５に示す通り、室内ユニット３７内には結露水の吸引装置であるエジェクタ６９が設けられ、熱交換器３５の熱媒体出口側７０とエジェクタ６９を構成するノズル部７１が接続されている。エジェクタ６９の吸引部７２は熱交換器３５の下部に設けられたドレン受け５４内へ接続され、一方吐出部７３は可撓性接続配管３４へと接続され、水コンセント３３を経て室外機３２繋がっている。室外機３２のシスターン２１上部にはオーバーフロー排水口７４が設けられ、シスターン２１内の水位が既定位置を超えると接続された排出管７５から排水されるようになっている。
【００３９】
上記構成において、冷房運転時に熱交換器３５の表面に付着した結露水は、重力により熱交換器３５の下方に設けられたドレン受け５４に流れ込む。ドレン受け５４に集められた結露水は、エジェクタ６９により吸引されて吸引部７２から、熱交換器３５を通過してきた冷水と合流し、吐出部７３から可撓性接続配管３４へ送られるので、可撓性配管３４が室内ユニット３７の設置状況によりどの様に曲げられていても、結露水は水コンセント３３から室外機３２のシスターン２１まで送り込まれる。このように、室内ユニット３７の設置状況に関わらず冷房時の結露水を排出できるので、床面設置であっても問題なく冷房運転ができ、簡単構成で比較的安価なコストで結露水を室外に排出可能な構成を実現できる。また、蒸発によるシスターン２１内の循環水の減少を結露水の補充により防ぐこともでき、循環水の補充作業を省くことができるとともに、結露水の流入が多い場合も既定量を超えた水はオーバーフロー排水口７４から自動的に排出管７５へ排水されるので、メンテナンスが不要になる。
【００４０】
【発明の効果】
以上説明したように本発明の空気調和システムは、以下に述べる効果を有するものである。
【００４７】
蒸発による冷水の減少を防ぐので、循環水の補充作業を省くことができるとともに、結露水の流入が多い場合も既定量を超えた水は自動的に排水されるので、メンテナンスが不要になる。
【図面の簡単な説明】
【図１】本発明の実施例１の上吹き出し状態の室内ユニットを示す空気調和システムの構成図
【図２】同空気調和システムの下吹き出し状態の室内ユニットの断面構成図
【図３】同空気調和システムの室内ユニットの増設状態を示す斜視図
【図４】同空気調和システムの蒸発器の分解図
【図５】本発明の実施例２の空気調和システムの構成図
【図６】第一の従来例における空気調和システムの構成図
【図７】第二の従来例における空気調和システムの構成図
【図８】第一の従来例における空気調和システムの温度分布説明用の部屋の斜視図
【図９】同空気調和システムの吹き出し温度の分布説明図
【図１０】同空気調和システムの垂直温度分布説明図
【符号の説明】
２１  シスターン
２２  ポンプ
２３  ボイラ
２６  蒸発器
２７  水回路
２８  圧縮機
２９  凝縮器
３０  減圧手段
３１  ヒートポンプ回路
３３  水コンセント（熱媒体コンセント）
３４  可撓性接続配管
３５  熱交換器
３７  室内ユニット
４０  下吹き出し口
４１  切り換え手段
４５  上吹き出し口
５３  排水ポンプ
５４  ドレン受け
５８  分岐供給口
６１  積層式熱交換器
６２  冷媒プレート
６２ａ  冷媒スリット
６２ｂ  給水スリット
６３  給水プレート
６３ａ  冷媒スリット
６３ｂ  給水スリット
６４  隔壁プレート
６４ａ  冷媒スリット
６４ｂ  給水スリット
６７  水供給口（熱媒体供給口）
６８  結露水排出口
７０  エジェクタ
７４  オーバーフロー排水口
【図１】
0003945301.tif 000002
【図２】
0003945301.tif 000003
【図３】
0003945301.tif 000004
【図４】
0003945301.tif 000005
【図５】
0003945301.tif 000006
【図６】
0003945301.tif 000007
【図７】
0003945301.tif 000008
【図８】
0003945301.tif 000009
【図９】
0003945301.tif 000010
【図１０】
0003945301.tif 000011